(57)【特許請求の範囲】
【請求項１】
被検査基板に設けられる複数の配線パターン間に電位差を付与しつつ検査用の信号を取り出すことにより前記配線パターン間の電気的特性を検査する基板検査装置であって、
前記被検査基板に設けられる前記各配線パターンに設定された複数の検査点に接触される複数の接触ピンと、
前記複数の接触ピンを介して前記配線パターン間に電位差を付与するとともに、前記配線パターン間に付与する電位差の大きさを変更可能な電源部と、
前記複数の接触ピンを介して前記配線パターン間の電気的特性に関する信号を検出する検出部と、
複数のスイッチング素子を有し、前記各スイッチング素子をオン、オフさせることにより、前記複数の接触ピンと、前記電源部及び前記検出部との間の電気的な接続関係を切り替える接続切替部と、
前記電源部及び前記接続切替部の前記複数のスイッチング素子を制御するとともに、前記検出部の検出結果に基づいて前記配線パターン間の電気的特性を検査する制御部と、
を備え、
前記制御部は、前記配線パターン間に付与する電位差の値である付与電位差値が異なる複数の電気特性検査のための検査処理動作を行い、
前記制御部による前記複数の検査処理動作では、その検査処理動作内の複数の検査ステップにおいて前記複数の配線パターンのいずれか１つが注目配線パターンとして順番に設定されていくとともに、その各検査ステップにおいて、その時点で注目配線パターンに設定されている配線パターンと、前記複数の配線パターンのうちのその時点で前記注目配線パターンに設定されている配線パターン及びその検査処理動作内で既に注目配線パターンに設定されたことがある配線パターン以外の配線パターンからなる相対配線パターンとの間に、前記接触ピンを介して前記電源部によりその検査処理動作に対応する前記付与電位差値の電位差が付与されて、前記注目配線パターンと前記相対配線パターンとの間の電気的特性が前記検出部の検出結果に基づいて検査され、
前記複数の電気特性検査のうちの前記付与電位差値が所定の基準レベル未満である電気特性検査では、前記複数の配線パターンのうちの、配線パターンに接触されている前記接触ピンの数が多いものから順に前記注目配線パターンに設定され、前記複数の電気特性検査のうちの前記付与電位差値が前記所定の基準レベル以上である電気特性検査では、前記複数の配線パターンのうちの、配線パターンに接触されている前記接触ピンの数が少ないものから順に前記注目配線パターンに設定されることを特徴とする基板検査装置。
【請求項２】
被検査基板に設けられる複数の配線パターン間に電位差を付与しつつ検査用の信号を取り出すことにより前記配線パターン間の電気的特性を検査する基板検査装置であって、
前記被検査基板に設けられる前記各配線パターンに設定された複数の検査点に接触される複数の接触ピンと、
前記複数の接触ピンを介して前記配線パターン間に電位差を付与するとともに、前記配線パターン間に付与する電位差の大きさを変更可能な電源部と、
前記複数の接触ピンを介して前記配線パターン間の電気的特性に関する信号を検出する検出部と、
複数のスイッチング素子を有し、前記各スイッチング素子をオン、オフさせることにより、前記複数の接触ピンと、前記電源部及び前記検出部との間の電気的な接続関係を切り替える接続切替部と、
前記電源部及び前記接続切替部の前記複数のスイッチング素子を制御するとともに、前記検出部の検出結果に基づいて前記配線パターン間の電気的特性を検査する制御部と、
を備え、
前記制御部は、前記配線パターン間に付与する電位差の値である付与電位差値が異なる複数の電気特性検査のための検査処理動作を行い、
前記制御部による前記複数の検査処理動作では、その検査処理動作内の複数の検査ステップにおいて前記複数の配線パターンのいずれか１つが注目配線パターンとして順番に設定されていくとともに、その各検査ステップにおいて、その時点で注目配線パターンに設定されている配線パターンと、前記複数の配線パターンのうちのその時点で前記注目配線パターンに設定されている配線パターン及びその検査処理動作内で既に注目配線パターンに設定されたことがある配線パターン以外の配線パターンからなる相対配線パターンとの間に、前記接触ピンを介して前記電源部によりその検査処理動作に対応する前記付与電位差値の電位差が付与されて、前記注目配線パターンと前記相対配線パターンとの間の電気的特性が前記検出部の検出結果に基づいて検査され、
前記複数の電気特性検査には、第１種及び第２種短絡検査が含まれ、
前記第１種短絡検査では、前記付与電位差値が、隣接する前記配線パターン間が擬似的に短絡した、あるいは微細な細線部により短絡した極小短絡部が導通し、かつその極小短絡部を流れる電流により前記極小短絡部が焼損しない値に設定され、
前記第２種短絡検査では、前記付与電位差値が、前記第１種短絡検査の前記付与電位差値よりも高い値であって、隣接する前記配線パターン間のスパークによる電流リークを検出するための値に設定され、
前記第１種短絡検査では、前記複数の配線パターンのうちの、配線パターンに接触されている前記接触ピンの数が多いものから順に前記注目配線パターンに設定され、前記第２種短絡検査では、前記複数の配線パターンのうちの、配線パターンに接触されている前記接触ピンの数が少ないものから順に前記注目配線パターンに設定されることを特徴とする基板検査装置。
【請求項３】
請求項１又は請求項２に記載の基板検査装置において、
前記制御部による前記複数の検査処理動作では、前記複数の電気特性検査が、前記付与電位差値が小さいものから順に行われることを特徴とする基板検査装置。
【請求項４】
請求項１ないし請求項３のいずれかに記載の基板検査装置において、
前記検出部は、前記複数の接触ピンを複数のグループに分割してなる複数の接触ピン群にそれぞれ割り当てられ、その対応する接触ピン群に属する接触ピンを介して、前記注目配線パターン又は前記相対配線パターンと前記電源部との間に流れる電流を検出する複数の電流検出部を備え、
前記制御部は、前記各電気特性検査内において、前記複数の電流検出部のそれぞれの使用頻度が均等になるように、前記各検査ステップで前記電流の検出に用いる前記検出部の前記電流検出部を選択することを特徴とする基板検査装置。
【発明の詳細な説明】
【技術分野】
【０００１】
本発明は、被検査基板に設けられた複数の配線パターン間の電気的特性に関する検査を行う基板検査装置に関する。
【０００２】
なお、この発明は、プリント配線基板に限らず、例えば、フレキシブル基板、多層配線基板、液晶ディスプレイやプラズマディスプレイ用の電極板、及び半導体パッケージ用のパッケージ基板やフィルムキャリアなど種々の基板における電気的配線の検査に適用でき、この明細書では、それら種々の配線基板を総称して「基板」と称する。
【背景技術】
【０００３】
検査対象の配線パターン間に微細な短絡部がある場合、配線パターン間に一般的な電位差を発生させると、その微細な短絡部が過電流により焼損し、これによって本来絶縁不良等の問題がある被検査基板が正常と誤判定されてしまうなどの問題が生じることがある。
【０００４】
この点に関する従来の基板検査装置として、配線パターンに与える電位差を段階的に変化させ、これによって配線パターンの絶縁不良箇所等が過電流により焼損するのを防止しつつ検査を行うようにしたものがある（例えば、特許文献１）。
【０００５】
例えば、第１段階での短絡検査では、配線パターン間に付与する電位差が、隣接する配線パターン間が擬似的に短絡した、あるいは微細な細線部により短絡した極小短絡部が導通し、かつその極小短絡部を流れる電流により極小短絡部が焼損しない値に設定される。第２段階での短絡検査では、配線パターン間に付与する電位差が、第１段階の電位差よりも高い値であって、隣接する配線パターン間のスパークによる電流リークを検出するための値に設定される。
【０００６】
また、被検査基板に設けられた複数の配線パターンについて検査を行う際には、極小短絡部に関する第１段階の検査、及びスパークによる電流リークに関する第２段階の検査のいずれも、複数の配線パターンについていずれか１つの配線パターンを同じ順番で検査対象の注目配線パターンに設定していくようになっている。
【０００７】
より具体的には、例えば、第１段階及び第２段階のいずれの検査でも、配線面積の大きい配線パターンから順に注目配線パターンに設定される。そして、複数の配線パターンのうちの配線面積の大きいものから順に注目配線パターンとして設定されていくとともに、各時点において注目配線パターンに設定されている配線パターンと、複数の配線パターンのうちのその時点で注目配線パターンに設定されている配線パターン及びその検査内で既に注目配線パターンに設定されたことがある配線パターン以外の配線パターンからなる相対配線パターンとの間に、電位差が付与されて、注目配線パターンと相対線配線パターンとの間の電気的特性が検査される。なお、配線面積の大きい配線パターンから順に注目配線パターンに設定するのは、配線面積の大きい配線パターンは、電位差の付与及び付与解除の際の電荷の充放電に時間がかかるため、配線面積の大きい配線パターンに対する電位差付与（充放電）の回数を減らして検査速度を高速化するためである。
【先行技術文献】
【特許文献】
【０００８】
【特許文献１】特開２００８−１３９０３６号公報
【発明の概要】
【発明が解決しようとする課題】
【０００９】
この種の基板検査装置は短時間に大量の基板に対して検査を行う必要性から、検査速度の高速化が強く求められており、個々の注目配線パターンについて行われる各検査ステップにかけられる時間が益々短縮される傾向にある。その一方で、検査速度の高速化は、検査を行うための充放電に起因する不所望な電流の変化が検出されてしてしまい、検査結果の誤判定を招き易くなる傾向もある。このため、検査の信頼性を低下させずに、如何に検査速度の高速化を図るかが課題となっている。
【００１０】
この点に関し、本願発明者の鋭意研究の結果、上述の従来技術のように、第１段階の検査及び第２段階の検査のいずれも、複数の配線パターンについて検査対象の注目配線パターンを設定する順番を同一にした構成では、現在要求されている検査速度では問題ないが、将来的にさらなる検査速度の高速化が進められた場合、検査を行うための充放電に起因する不所望な電流の変化が検出されてしまい、検査結果の誤判定が生じやすくなるおそれがある。具体的には、配線面積の大きい配線パターンから順に注目配線パターンに設定する構成の場合、付与電位差の小さい第１段階の検査では検査速度の向上が図れるが、付与電位差の大きい第２段階の検査で、スパークによる電流リークが発生していないのにもかかわらず、放電流を電流計が検出して、あたかも電流リークがあると判定される誤判定が生じやすくなる。
【００１１】
また、上述の従来例では、複数の配線パターンに対して注目配線パターンを選定する順番を配線パターンの配線面積に基づいて決定しているが、配線パターンに対する電位差の付与及び付与解除の際の充放電特性には、配線パターンの配線面積の他に、配線パターンに接触されている検査用の接触ピン及び接触ピンに接続されている導線等の静電容量も大きく影響している。このため、従来例では、注目配線パターンの選定の順番が、接触ピン及び導線等の静電容量の影響が十分に考慮されずに決定されていた。
【００１２】
また、この種の基板検査装置では、複数の電流検出部が備えられている場合があるが、一部の電流検出部に使用頻度が片寄り、一部の電流検出部の劣化が他の電流検出部に比して進みやすくなるという問題もあった。
【００１３】
そこで、本発明の解決すべき第１の課題は、被検査基板に設けられた複数の配線パターン間の電気的特性に関する検査について、各配線パターンに対する電位差の付与及び付与解除の際の配線パターンに接触される接触ピン等の静電容量を考慮して、複数の配線パターンに対する電気特性検査の順番を決定することができ、しかも検査結果の信頼性を低下させることなく、検査速度の向上が図れる基板検査装置を提供することである。
【００１４】
また、本発明の解決すべき第２の課題は、備えられた複数の電流検出部のうちの一部の電流検出部に使用頻度が片寄るのを防止できる基板検査装置を提供することである。
【課題を解決するための手段】
【００１５】
上記の課題を解決するため、本発明の第１の局面に係る基板検査装置では、被検査基板に設けられる複数の配線パターン間に電位差を付与しつつ検査用の信号を取り出すことにより前記配線パターン間の電気的特性を検査する基板検査装置であって、前記被検査基板に設けられる前記各配線パターンに設定された複数の検査点に接触される複数の接触ピンと、前記複数の接触ピンを介して前記配線パターン間に電位差を付与するとともに、前記配線パターン間に付与する電位差の大きさを変更可能な電源部と、前記複数の接触ピンを介して前記配線パターン間の電気的特性に関する信号を検出する検出部と、複数のスイッチング素子を有し、前記各スイッチング素子をオン、オフさせることにより、前記複数の接触ピンと、前記電源部及び前記検出部との間の電気的な接続関係を切り替える接続切替部と、前記電源部及び前記接続切替部の前記複数のスイッチング素子を制御するとともに、前記検出部の検出結果に基づいて前記配線パターン間の電気的特性を検査する制御部とを備え、前記制御部は、前記配線パターン間に付与する電位差の値である付与電位差値が異なる複数の電気特性検査のための検査処理動作を行い、前記制御部による前記複数の検査処理動作では、その検査処理動作内の複数の検査ステップにおいて前記複数の配線パターンのいずれか１つが注目配線パターンとして順番に設定されていくとともに、その各検査ステップにおいて、その時点で注目配線パターンに設定されている配線パターンと、前記複数の配線パターンのうちのその時点で前記注目配線パターンに設定されている配線パターン及びその検査処理動作内で既に注目配線パターンに設定されたことがある配線パターン以外の配線パターンからなる相対配線パターンとの間に、前記接触ピンを介して前記電源部によりその検査処理動作に対応する前記付与電位差値の電位差が付与されて、前記注目配線パターンと前記相対配線パターンとの間の電気的特性が前記検出部の検出結果に基づいて検査され、前記複数の電気特性検査のうちの前記付与電位差値が所定の基準レベル未満である電気特性検査では、前記複数の配線パターンのうちの、配線パターンに接触されている前記接触ピンの数が多いものから順に前記注目配線パターンに設定され、前記複数の電気特性検査のうちの前記付与電位差値が前記所定の基準レベル以上である電気特性検査では、前記複数の配線パターンのうちの、配線パターンに接触されている前記接触ピンの数が少ないものから順に前記注目配線パターンに設定される。
【００１６】
また、本発明の第２の局面に係る基板検査装置では、被検査基板に設けられる複数の配線パターン間に電位差を付与しつつ検査用の信号を取り出すことにより前記配線パターン間の電気的特性を検査する基板検査装置であって、前記被検査基板に設けられる前記各配線パターンに設定された複数の検査点に接触される複数の接触ピンと、前記複数の接触ピンを介して前記配線パターン間に電位差を付与するとともに、前記配線パターン間に付与する電位差の大きさを変更可能な電源部と、前記複数の接触ピンを介して前記配線パターン間の電気的特性に関する信号を検出する検出部と、複数のスイッチング素子を有し、前記各スイッチング素子をオン、オフさせることにより、前記複数の接触ピンと、前記電源部及び前記検出部との間の電気的な接続関係を切り替える接続切替部と、前記電源部及び前記接続切替部の前記複数のスイッチング素子を制御するとともに、前記検出部の検出結果に基づいて前記配線パターン間の電気的特性を検査する制御部とを備え、前記制御部は、前記配線パターン間に付与する電位差の値である付与電位差値が異なる複数の電気特性検査のための検査処理動作を行い、前記制御部による前記複数の検査処理動作では、その検査処理動作内の複数の検査ステップにおいて前記複数の配線パターンのいずれか１つが注目配線パターンとして順番に設定されていくとともに、その各検査ステップにおいて、その時点で注目配線パターンに設定されている配線パターンと、前記複数の配線パターンのうちのその時点で前記注目配線パターンに設定されている配線パターン及びその検査処理動作内で既に注目配線パターンに設定されたことがある配線パターン以外の配線パターンからなる相対配線パターンとの間に、前記接触ピンを介して前記電源部によりその検査処理動作に対応する前記付与電位差値の電位差が付与されて、前記注目配線パターンと前記相対配線パターンとの間の電気的特性が前記検出部の検出結果に基づいて検査され、前記複数の電気特性検査には、第１種及び第２種短絡検査が含まれ、前記第１種短絡検査では、前記付与電位差値が、隣接する前記配線パターン間が擬似的に短絡した、あるいは微細な細線部により短絡した極小短絡部が導通し、かつその極小短絡部を流れる電流により前記極小短絡部が焼損しない値に設定され、前記第２種短絡検査では、前記付与電位差値が、前記第１種短絡検査の前記付与電位差値よりも高い値であって、隣接する前記配線パターン間のスパークによる電流リークを検出するための値に設定され、前記第１種短絡検査では、前記複数の配線パターンのうちの、配線パターンに接触されている前記接触ピンの数が多いものから順に前記注目配線パターンに設定され、前記第２種短絡検査では、前記複数の配線パターンのうちの、配線パターンに接触されている前記接触ピンの数が少ないものから順に前記注目配線パターンに設定される。
【００１７】
また、本発明の第３の局面に係る基板検査装置では、上記第１の局面又は第２の局面に係る基板検査装置において、前記制御部による前記複数の検査処理動作では、前記複数の電気特性検査が、前記付与電位差値が小さいものから順に行われる。
【００１８】
また、本発明の第４の局面に係る基板検査装置では、上記第１ないし第３の局面のいずれかに係る基板検査装置において、前記検出部は、前記複数の接触ピンを複数のグループに分割してなる複数の接触ピン群にそれぞれ割り当てられ、その対応する接触ピン群に属する接触ピンを介して、前記注目配線パターン又は前記相対配線パターンと前記電源部との間に流れる電流を検出する複数の電流検出部を備え、前記制御部は、前記各電気特性検査内において、前記複数の電流検出部のそれぞれの使用頻度が均等になるように、前記各検査ステップで前記電流の検出に用いる前記検出部の前記電流検出部を選択する。
【発明の効果】
【００１９】
本発明の第１の局面に係る基板検査装置によれば、各電気特性検査における複数の配線パターンに対する注目配線パターンの選定の順番が、検査時に配線パターンに接触される接触ピンの数に基づいて決定される。配線パターンに接触される接触ピンの数は、配線面積の大きい配線パターンほど多くなる傾向にあるため、注目配線パターンの選定の順番を接触ピンの数に基づいて決定することにより、配線パターン、その配線パターンに接触される接触ピン、及びその接触ピンに接続される導線等からなる全体の静電容量を考慮して、注目配線パターンの選定の順番を決定することができる。
【００２０】
また、複数の電気特性検査のうちの付与電位差値が所定の基準レベル未満である電気特性検査では、複数の配線パターンのうちの、配線パターンに接触されている接触ピンの数が多いものから順に注目配線パターンに設定され、複数の電気特性検査のうちの付与電位差値が所定の基準レベル以上である電気特性検査では、複数の配線パターンのうちの、配線パターンに接触されている接触ピンの数が少ないものから順に注目配線パターンに設定される。このため、複数の電気特性検査のうちの付与電位差値が所定の基準レベル未満である電気特性検査では、接触される接触ピンが多く、接触ピン等を含む全体の静電容量の大きい配線パターンから順に注目配線パターンに設定することにより、全体の静電容量の大きい配線パターンに対する電位差の付与及び付与解除の回数を抑制できる。その結果、配線パターンに対する電位差の付与及び付与解除の際の所要時間（充放電等に要する時間）を短縮して、検査速度の高速化が図れる。その一方、複数の電気特性検査のうちの付与電位差値が所定の基準レベル以上である電気特性検査では、接触される接触ピンが少なく、接触ピン等を含む全体の静電容量の小さい配線パターンから順に注目配線パターンに設定することにより、検査結果の誤判定を抑制して、検査の信頼性が低下するのが回避される。その結果、検査結果の信頼性を低下させることなく、検査速度の向上が図れる。
【００２１】
本発明の第２の局面に係る基板検査装置によれば、各電気特性検査における複数の配線パターンに対する注目配線パターンの選定の順番が、検査時に配線パターンに接触される接触ピンの数に基づいて決定される。配線パターンに接触される接触ピンの数は、配線面積の大きい配線パターンほど多くなる傾向にあるため、注目配線パターンの選定の順番を接触ピンの数に基づいて決定することにより、配線パターン、その配線パターンに接触される接触ピン、及びその接触ピンに接続される導線等からなる全体の静電容量を考慮して、注目配線パターンの選定の順番を決定することができる。
【００２２】
また、付与電位差値が配線パターン間の極小短絡部に関する検査に対応した小さな値に設定される第１種短絡検査では、複数の配線パターンのうちの、配線パターンに接触されている接触ピンの数が多いものから順に注目配線パターンに設定され、付与電位差値が配線パターン間のスパークによる電流リークに関する検査に対応した大きな値に設定される第２種短絡検査では、複数の配線パターンのうちの、配線パターンに接触されている接触ピンの数が少ないものから順に注目配線パターンに設定される。このため、付与電位差値の小さい第１種短絡検査では、接触される接触ピンが多く、接触ピン等を含む全体の静電容量の大きい配線パターンから順に注目配線パターンに設定することにより、全体の静電容量の大きい配線パターンに対する電位差の付与及び付与解除の回数を抑制できる。その結果、配線パターンに対する電位差の付与及び付与解除の際の所要時間（充放電等に要する時間）を短縮して、検査速度の高速化が図れる。その一方、付与電位差値の大きい第２種短絡検査では、接触される接触ピンが少なく、接触ピン等を含む全体の静電容量の小さい配線パターンから順に注目配線パターンに設定することにより、検査結果の誤判定を抑制して、検査の信頼性が低下するのが回避される。その結果、検査結果の信頼性を低下させることなく、検査速度の向上が図れる。
【００２３】
本発明の第３の局面に係る基板検査装置によれば、複数の電気特性検査が付与電位差値の小さいものから順に行われるため、検査時の過電流により極小短絡部が焼損するのを回避しつつ、配線パターン間の電気的特性について検査できる。
【００２４】
本発明の第４の局面に係る基板検査装置によれば、各電気特性検査内において、複数の電流検出部のそれぞれの使用頻度が均等になるように、各検査ステップで電流の検出に用いる検出部の電流検出部が選択されるため、一部の電流検出部に使用頻度が片寄るのを防止して、一部の電流検出部の劣化が他の電流検出部に比して進むのを防止できる。
【図面の簡単な説明】
【００２５】
【図１】本発明の一実施形態に係る基板検査装置の電気的構成を示す図である。
【図２】被検査基板に設けられる配線パターンの構成等を模式的に示す図である。
【図３】図２の被検査基板に設けられる配線パターンとその配線パターンに接触される接触ピンの数の対応関係を例示した図である。
【図４】図１の基板検査装置の検査手順を示すフローチャートである。
【図５】第１及び第２種短絡検査の各検査ステップにおける注目配線パターン及び相対配線パターンの設定手順を説明するための図である。
【図６】図１の基板検査装置の変形例に関し、複数の電流検出部の使用形態を説明するための図である。
【発明を実施するための形態】
【００２６】
図１ないし図５を参照して、本発明の一実施形態に係る基板検査装置について説明する。この基板検査装置１は、図１及び図２に示すように、複数の接触ピンＰ１，Ｐ２，・・・（これらを総称する場合は符号「Ｐ」とする）、電源部１１、複数の電流検出部Ａ１，Ａ２，・・・（これらを総称する場合は符号「Ａ」を用いる）、電位差検出部Ｖ、接続切替部１２、及び制御部１３を備えており、被検査基板２に設けられる複数の配線パターンＮ１，Ｎ２，・・・（これらを総称する場合は符号「Ｎ」を用いる）間に電位差を付与しつつ検査用の信号を取り出すことにより配線パターンＮ間の電気的特性を検査する。本発明の検出部には、電流検出部Ａ及び電位差検出部Ｖが対応している。
【００２７】
被検査基板２に設けられる各配線パターンＮには、配線パターンＮの役割（電源配線、グランド配線、信号配線等）、及び形態（配線長、配線形状等）に応じて、検査時に１又は複数の接触ピンＰが接触される。このとき、配線面積が大きい配線パターンＮほど多くの接触ピンＰが接触される傾向にある。図２に示す例では、配線パターンＮ１には２つの接触ピンＰが接触され、配線パターンＮ２には３つの接触ピンＰが接触されている。
【００２８】
接触ピンＰは、基板検査装置１の各配線パターンＮに対する電気的な接続点を形成するためのものであり、図示しない絶縁性の保持部材により保持された状態で、図示しない昇降機構等により保持部材ごと昇降されて、検査時にその先端部が対応する配線パターンＮの接触点に接触される。接触ピンＰの後端部は、電極部を介して基板検査装置１の本体側と接続された導線と導通される。また、このような接触ピンＰは、複数の接触ピンＰからなる複数のピングループＰＧ１，ＰＧ２，・・・（これらを総称する場合は符号「ＰＧ」を用いる）にグループ分けされている。
【００２９】
電源部１１は、後述する制御部１３の制御により、配線パターンＮ間の電気的特性を検出するための電位差を接触ピンＰを介して各配線パターンＮ間に付与する。また、電源部１１が配線パターンＮ間に付与する電位差の大きさは、制御部１３の制御により変更可能となっている。
【００３０】
電流検出部Ａは、ピングループＰＧごとに１つずつ設けられ、全体として複数設けられており、対応するピングループＰＧの接触ピンＰを介して、配線パターンＮと電源部１１との間に流れる電流を検出し、検出結果を制御部１３に与える。このような電流検出部Ａは、例えば接続切替部１２の２段目の各スイッチング素子ＳＷ２ａと電源部１１の一方側出力部（例えば、プラス側出力部）との間を接続する導電路に介挿される。なお、変形例として、電流検出部Ａを接続切替部１２の２段目の各スイッチング素子ＳＷ２ｂと電源部１１の他方側出力部（例えば、マイナス側出力部）との間を接続する導電路に介挿してもよい。
【００３１】
電位差検出部Ｖは、電源部１１により配線パターンＮ間に付与されている電位差を接触ピンＰを介して検出し、検出結果を制御部１３に与える。
【００３２】
なお、本実施形態では、電流検出部Ａ及び電位差検出部Ｖの両方を設けたが、電源部１１の出力電位差値又は出力電流値に基づいて、各配線パターンＮ間に付与される電位差値又は電源部１１から注目配線パターンに供給される電流値に関する情報が取得できる場合には、電流検出部Ａと電位差検出部Ｖとの一方を省いてもよい。
【００３３】
接続切替部１２は、制御部１３の制御によりオン、オフ動作する複数のスイッチング素子（例えば、半導体スイッチング素子）ＳＷ１，ＳＷ２を有している。そして、そのスイッチング素子ＳＷ１，ＳＷ２をオン、オフすることにより、各接触ピンＰと、装置本体側の構成（電源部１１、電流検出部Ａ及び電位差検出部Ｖ）との電気接続関係を切り替える。本実施形態では、複数のスイッチング素子ＳＷ１と複数のスイッチング素子ＳＷ２が２段構成で備えられている。
【００３４】
１段目のスイッチング素子ＳＷ１は、各接触ピンＰごとに設けられ、そのスイッチング素子ＳＷ１がオンすることにより、複数の接触ピンＰのうちからそのスイッチング素子ＳＷ１が対応する接触ピンＰが、２段目のスイッチング素子ＳＷ２を介して装置本体側の構成（電源部１１、電流検出部Ａ及び電位差検出部Ｖ）に接続される。
【００３５】
２段目のスイッチング素子ＳＷ２は、各ピングループＰＧごとに３つずつ設けられている。そして、３つのスイッチング素子ＳＷ２のいずれがオンすると、その３つのスイッチング素子ＳＷ２が対応するピングループＰＧの接触ピンＰが、１段目のスイッチング素子ＳＷ１を介して、電源部１１の一方側出力端子（例えば、プラス側出力端子）、電源部１１の他方側出力端子（例えば、マイナス側出力端子）、及びグランド電位のうちのいずれかに接続される。例えば、スイッチング素子ＳＷ２ａがオンすると、対応するピングループＰＧの接触ピンＰが、１段目のスイッチング素子ＳＷ１を介して、電源部１１の一方側出力端子（例えば、プラス側出力端子）に接続される。スイッチング素子ＳＷ２ｂがオンすると、対応するピングループＰＧの接触ピンＰが、１段目のスイッチング素子ＳＷ１を介して、電源部１１の他方側出力端子（例えば、マイナス側出力端子）に接続される。スイッチング素子ＳＷ２ｃがオンすると、対応するピングループＰＧの接触ピンＰが、１段目のスイッチング素子ＳＷ１を介して、グランド電位に接続される。
【００３６】
制御部１３は、この基板検査装置１の制御及び被検査基板２に対する検査処理を司るものである。この制御部１３の制御動作には、電源部１１の出力のオン、オフ、電源部１１が配線パターンＮ間に付与する電位差の大きさの変更又は調節、及び、接続切替部１２の各スイッチング素子ＳＷ１，ＳＷ２をオン、オフ動作させることによる、複数の接触ピンＰと装置本体側の構成（電源部１１、電流検出部Ａ及び電位差検出部Ｖ）との電気接続関係の切り替え等が含まれる。
【００３７】
制御部１３による検査処理には、配線パターンＮ間に付与する電位差の値である付与電位差値が異なる複数の電気特性検査のための検査処理動作が含まれている。その各検査処理動作では、その検査処理動作内の複数の検査ステップにおいて複数の配線パターンＮのいずれか１つが注目配線パターンとして順番に設定されていく。それとともに、その各検査ステップにおいて、その時点で注目配線パターンに設定されている配線パターンＮと、複数の配線パターンＮのうちのその時点で注目配線パターンに設定されている配線パターンＮ及びその検査処理動作内で既に注目配線パターンＮに設定されたことがある配線パターンＮ以外の配線パターンＮからなる相対配線パターンとの間に、接触ピンＰを介して電源部１１によりその検査処理動作に対応する付与電位差値の電位差が付与される。そして、注目配線パターンと相対配線パターンとの間の電気的特性（本実施形態では、絶縁性）が、電流検出部Ａ及び電位差検出部Ｖの検出結果に基づいて検査される。
【００３８】
注目配線パターンと相対配線パターンとの間の絶縁性に検査は、例えば次のようにして行われる。すなわち、両配線パターン間に電源部１１により電位差を付与し、そのときに電位差検出部Ｖにより両配線パターン間の電位差値を検出するとともに、電流検出部Ａにより両配線パターン間に流れる電流を検出する。そして、検出された電位差値を電流値で割り算して、両配線パターン間の仮想的な抵抗値を算出し、その抵抗値が判定基準となる基準抵抗値以上であれば、適正と判定され、その抵抗値が基準抵抗値未満であれば不良と判定される。なお、判定基準の基準抵抗値は、電気特性検査ごとに検査対象に応じた値に設定するのが好ましい。
【００３９】
また、複数の電気特性検査は、付与電位差値が小さいものから順に行われるようになっている。
【００４０】
さらに、複数の電気特性検査のうちの付与電位差値が所定の基準レベル未満である電気特性検査では、複数の配線パターンＮのうちの、配線パターンＮに接触されている接触ピンＰの数が多いものから順に注目配線パターンに設定される。一方、複数の電気特性検査のうちの付与電位差値が所定の基準レベル以上である電気特性検査では、複数の配線パターンＮのうちの、配線パターンＮに接触されている接触ピンＰの数が少ないものから順に注目配線パターンに設定される。
【００４１】
より具体的には、本実施形態では、複数の電気特性検査として、第１種及び第２種短絡検査が行われるようになっている。第１種短絡検査では、付与電位差値が、隣接する配線パターンＮ間が擬似的に短絡した、あるいは微細な細線部により短絡した極小短絡部が導通し、かつその極小短絡部を流れる電流により極小短絡部が焼損しない値（第１の付与電位差値）に設定される。第２種短絡検査では、付与電位差値が、第１種短絡検査の付与電位差値よりも高い値であって、隣接する配線パターン間のスパークによる電流リークを検出するための値（第２の付与電位差値）に設定される。そして、付与電位差値に対する基準レベルは、前記第１の付与電位差値よりも大きく、かつ第２の付与電位差値以下の値（例えば、150〜250Ｖ）に設定される。なお、本実施形態では、複数の電気特性検査として第１及び第２種短絡検査からなる２つの電気特性検査を行うようにしたが、３つ以上の電気特性検査を行うようにしてもよい。
【００４２】
このため、付与電位差値が小さい第１種短絡検査では、複数の配線パターンＮのうちの、配線パターンＮに接触されている接触ピンＰの数が多いものから順に注目配線パターンに設定される。付与電位差値の大きい第２種短絡検査では、複数の配線パターンＮのうちの、配線パターンＮに接触されている接触ピンＰの数が少ないものから順に注目配線パターンに設定される。
【００４３】
さらに詳細には、第１種短絡検査では、配線パターンＮ間が擬似的に短絡した、あるいは微細な細線部により短絡した極小短絡部による絶縁不良の有無が検査される。極小短絡部には、本明細書記載の特許文献１の図３（ａ）及び図３（ｂ）に示すような微細短絡部と、同図４に示されるような疑似短絡部とが含まれる。
【００４４】
微細短絡部は、例えば、配線パターンＮのエッチング処理の際に、除去されるべき不要な配線材料が完全に除去されずに残ったエッチング残等によって生じる。このような微細短絡部は、例えばミクロンオーダー等の微細な太さであるため、短絡検査の際に配線パターンＮに大きな電位差をかけると、微細短絡部を流れる電流により焼損してしまうことがある。このような微細短絡部の抵抗値は、約１００Ω程度以下である場合が多い。
【００４５】
疑似短絡部とは、隣接する配線パターンＮを疑似的に短絡させて絶縁不良を引き起こすものであり、隣接する配線パターンＮ間に橋渡されるように断続的に形成され、その疑似短絡部にかかる電位差の増大に伴って非導通状態から導通状態に変化するようになっている不良である。このような疑似短絡部は、例えば、隣接する配線パターンＮ間に橋渡されるように断続的に連なって形成された一又は複数の微細導体粒又は微細導体片（例えば、配線パターンＮの材料からなる微細導体粉又は微細導体片）からなっている。そして、このような疑似短絡部の場合も、短絡検査の際に配線パターンＮに大きな電位差をかけると、疑似短絡部を流れる電流により焼損してしまうことがある。このような疑似短絡部の抵抗値は約１０ＭΩ−約１００ＭΩ程度である場合が多い。
【００４６】
第２種短絡検査では、隣接する配線パターンＮ間のスパークによる電流リークを検出することにより、配線パターンＮ間の絶縁不良の有無が検査される。このようなスパークによる電流リークを引き起こすような絶縁不良箇所には、例えば本明細書の特許文献１の図５に示すパターン接近部が挙げられる。この図５のパターン接近部は、配線パターンＮの形成時のパターン不良等により生じ、隣接する配線パターンＮ同士が異常に接近した部分であり、スパークによる絶縁不良を引き起こす。このパターン接近部の抵抗値は、スパークが生じる前は実質的に無限大であり、スパークが発生したときはその隙間寸法等に応じた有限の値、例えば約１ＭΩ程度になる。
【００４７】
次に、具体例として、図３の表に示すような４つの配線パターンＮ１−Ｎ４について、第１種及び第２種短絡検査が行われる場合について説明する。図３の表より、配線パターンＮ１には２つの接触ピンＰが接触され、配線パターンＮ２には３つの接触ピンＰが接触され、配線パターンＮ３には５つの接触ピンＰが接触され、配線パターンＮ４には７つの接触ピンＰが接触されるようになっている。
【００４８】
検査の順序は、図４に示すように、ステップＳＴ１で第１種短絡検査が行われた後、ステップＳＴ２で第２種短絡検査が行われる。
【００４９】
第１種短絡検査では、電源部１１により注目配線パターンと相対配線パターンとの間に付与される付与電位差値が第１の付与電位差値（例えば、１０Ｖ）に設定され、図５の表の上側部分に示すように、検査ステップＳａ１、検査ステップＳａ２、検査ステップＳａ３の順序で進められる。
【００５０】
検査ステップＳａ１では、接触している接触ピンＰの数（以下、「ピン数」という）が最も多い配線パターンＮ４が注目配線パターンに設定され、それ以外のすべての配線パターンＮ１−Ｎ３が相対配線パターンに設定され、配線パターンＮ４と配線パターンＮ１−Ｎ３との間の極小短絡部に関する絶縁検査が行われる。具体的な動作としては、例えば、配線パターンＮ１−Ｎ４に接触されている接触ピンＰに対応する接続切替部１２の１段目のスイッチング素子ＳＷ１がオンされるとともに、２段目のスイッチング素子ＳＷ２のうちの配線パターンＮ４に接触された接触ピンＰに対応するいずれか１つのスイッチング素子ＳＷ２ａがオンされ、配線パターンＮ１に接触された接触ピンＰに対応するいずれか１つのスイッチング素子ＳＷ２ｂがオンされ、配線パターンＮ２に接触された接触ピンＰに対応するいずれか１つのスイッチング素子ＳＷ２ｂがオンされ、配線パターンＮ３に接触された接触ピンＰに対応するいずれか１つのスイッチング素子ＳＷ２ｂがオンされる。このとき、２段目の他のスイッチング素子ＳＷ２はすべてオフされる。
【００５１】
これにより、注目配線パターンである配線パターンＮ４が、接触ピンＰ、接続切替部１２のスイッチング素子ＳＷ１及びスイッチング素子ＳＷ２ａを介して、電源部１１の一方側出力部（例えば、プラス側出力部）と接続される。また、相対配線パターンである配線パターンＮ１−Ｎ３が、接触ピンＰ、接続切替部１２のスイッチング素子ＳＷ１及びスイッチング素子ＳＷ２ｂを介して、電源部１１の他方側出力部（例えば、マイナス側出力部）と接続される。そして、電源部１１により配線パターンＮ４と配線パターンＮ１−Ｎ３との間に第１の付与電位差値の電位差が付与され、そのときに配線パターンＮ４と配線パターンＮ１−Ｎ３との間に流れる電流（厳密には、電源部１１の一方側出力部と配線パターンＮ４との間に流れる電流）が電流検出部Ａにより検出されるとともに、配線パターンＮ４と配線パターンＮ１−Ｎ３との間に付与された電位差が電位差検出部Ｖにより検出される。続いて、その検出された電流値と電位差値に基づいて配線パターンＮ４と配線パターンＮ１−Ｎ３との間の仮想的な抵抗値が算出され、その抵抗値に基づいて配線パターンＮ４と配線パターンＮ１−Ｎ３との間の極小短絡部の有無が判定される。これにより、配線パターンＮ４に対する第１種短絡検査は終了する。
【００５２】
そして、配線パターンＮ１−Ｎ４に接触された接触ピンＰに対応する１段目のスイッチング素子ＳＷ１がオンされた状態で、２段目のスイッチング素子ＳＷ２のうちの配線パターンＮ１−Ｎ４に接触された接触ピンＰにそれぞれ対応するスイッチング素子ＳＷ２ｃがオンされ、配線パターンＮ１−Ｎ４が、接触ピンＰ、スイッチング素子ＳＷ１，ＳＷ２ｃを介してグランド電位に接続される。これにより、電位差付与により配線パターンＮ１−Ｎ４に溜まった電荷が放電される。
【００５３】
続く検査ステップＳａ２では、ピン数が２番目に多い配線パターンＮ３が注目配線パターンに設定される。相対配線パターンには、配線パターンＮ３と既に注目配線パターンに設定された配線パターンＮ４とを除いた残りの配線パターンＮ１，Ｎ２が設定される。そして、例えば、配線パターンＮ１−Ｎ３に接触されている接触ピンＰに対応する接続切替部１２の１段目のスイッチング素子ＳＷ１がオンされるとともに、２段目のスイッチング素子ＳＷ２のうちの配線パターンＮ１に接触された接触ピンＰに対応するいずれか１つのスイッチング素子ＳＷ２ｂがオンされ、配線パターンＮ２に接触された接触ピンＰに対応するいずれか１つのスイッチング素子ＳＷ２ｂがオンされる。このとき、２段目の他のスイッチング素子ＳＷ２はすべてオフされる。
【００５４】
これにより、注目配線パターンである配線パターンＮ３が、接触ピンＰ、接続切替部１２のスイッチング素子ＳＷ１及びスイッチング素子ＳＷ２ａを介して、電源部１１の一方側出力部（例えば、プラス側出力部）と接続される。また、相対配線パターンである配線パターンＮ１，Ｎ２が、接触ピンＰ、接続切替部１２のスイッチング素子ＳＷ１及びスイッチング素子ＳＷ２ｂを介して、電源部１１の他方側出力部（例えば、マイナス側出力部）と接続される。そして、電源部１１により配線パターンＮ３と配線パターンＮ１，Ｎ２との間に第１の付与電位差値の電位差が付与され、そのときに配線パターンＮ３と配線パターンＮ１，Ｎ２との間に流れる電流（厳密には、電源部１１の一方側出力部と配線パターンＮ３との間に流れる電流）が電流検出部Ａにより検出されるとともに、配線パターンＮ３と配線パターンＮ１，Ｎ２との間に付与された電位差が電位差検出部Ｖにより検出される。続いて、その検出された電流値と電位差値に基づいて配線パターンＮ３と配線パターンＮ１，Ｎ２との間の仮想的な抵抗値が算出され、その抵抗値に基づいて配線パターンＮ３と配線パターンＮ１，Ｎ２との間の極小短絡部の有無が判定される。これにより、配線パターンＮ３に対する第１種短絡検査は終了する。
【００５５】
そして、配線パターンＮ１−Ｎ３に接触された接触ピンＰに対応する１段目のスイッチング素子ＳＷ１がオンされた状態で、２段目のスイッチング素子ＳＷ２のうちの配線パターンＮ１−Ｎ３に接触された接触ピンＰにそれぞれ対応するスイッチング素子ＳＷ２ｃがオンされ、配線パターンＮ１−Ｎ３が、接触ピンＰ、スイッチング素子ＳＷ１，ＳＷ２ｃを介してグランド電位に接続される。これにより、電位差付与により配線パターンＮ１−Ｎ３に溜まった電荷が放電される。
【００５６】
続く検査ステップＳａ３では、ピン数が３番目に多い配線パターンＮ２が注目配線パターンに設定される。相対配線パターンには、配線パターンＮ２と既に注目配線パターンに設定された配線パターンＮ４，Ｎ３とを除いた残りの配線パターンＮ１が設定される。そして、例えば、配線パターンＮ１，Ｎ２に接触されている接触ピンＰに対応する接続切替部１２の１段目のスイッチング素子ＳＷ１がオンされるとともに、２段目のスイッチング素子ＳＷ２のうちの配線パターンＮ１に接触された接触ピンＰに対応するいずれか１つのスイッチング素子ＳＷ２ｂがオンされる。このとき、２段目の他のスイッチング素子ＳＷ２はすべてオフされる。
【００５７】
これにより、注目配線パターンである配線パターンＮ２が、接触ピンＰ、接続切替部１２のスイッチング素子ＳＷ１及びスイッチング素子ＳＷ２ａを介して、電源部１１の一方側出力部（例えば、プラス側出力部）と接続される。また、相対配線パターンである配線パターンＮ１が、接触ピンＰ、接続切替部１２のスイッチング素子ＳＷ１及びスイッチング素子ＳＷ２ｂを介して、電源部１１の他方側出力部（例えば、マイナス側出力部）と接続される。そして、電源部１１により配線パターンＮ２と配線パターンＮ１との間に第１の付与電位差値の電位差が付与され、そのときに配線パターンＮ２と配線パターンＮ１との間に流れる電流（厳密には、電源部１１の一方側出力部と配線パターンＮ２との間に流れる電流）が電流検出部Ａにより検出されるとともに、配線パターンＮ２と配線パターンＮ１との間に付与された電位差が電位差検出部Ｖにより検出される。続いて、その検出された電流値と電位差値に基づいて配線パターンＮ２と配線パターンＮ１との間の仮想的な抵抗値が算出され、その抵抗値に基づいて配線パターンＮ２と配線パターンＮ１との間の極小短絡部の有無が判定される。これにより、配線パターンＮ２に対する第１種短絡検査が終了するとともに、配線パターンＮ１に対する第１種短絡検査も終了し、すべての配線パターンＮ１−Ｎ４に対する第１種短絡検査が終了する。
【００５８】
そして、配線パターンＮ１，Ｎ２に接触された接触ピンＰに対応する１段目のスイッチング素子ＳＷ１がオンされた状態で、２段目のスイッチング素子ＳＷ２のうちの配線パターンＮ１，Ｎ２に接触された接触ピンＰにそれぞれ対応するスイッチング素子ＳＷ２ｃがオンされ、配線パターンＮ１，Ｎ２が、接触ピンＰ、スイッチング素子ＳＷ１，ＳＷ２ｃを介してグランド電位に接続される。これにより、電位差付与により配線パターンＮ１，Ｎ２に溜まった電荷が放電される。
【００５９】
続いて、第２種短絡検査が行われる。第２種短絡検査では、電源部１１により注目配線パターンと相対配線パターンとの間に付与される付与電位差値が第２の付与電位差値（例えば、２５０Ｖ）に設定され、図５の表の下側部分に示すように、検査ステップＳｂ１、検査ステップＳｂ２、検査ステップＳｂ３の順序で進められる。
【００６０】
なお、この第２種短絡検査における接続切替部１２の各スイッチング素子ＳＷ１，ＳＷｂによる切替動作については、複数の配線パターンＮ１−Ｎ４に対して注目配線パターンを設定する際の順番が上述の第１種短絡検査と逆になったことによる違いを除いて、第１種短絡検査のときと同じであるため、詳細な説明を省略する。
【００６１】
最初の検査ステップＳｂ１では、ピン数が最も少ない配線パターンＮ１が注目配線パターンに設定され、それ以外のすべての配線パターンＮ２−Ｎ３が相対配線パターンに設定され、電源部１１により接触ピンＰ及び接続切替部１２を介して配線パターンＮ１と配線パターンＮ２−Ｎ４との間に第２の付与電位差値の電位差が付与される。そのときに配線パターンＮ１と配線パターンＮ２−Ｎ４との間に流れる電流（厳密には、電源部１１の一方側出力部と配線パターンＮ１との間に流れる電流）が電流検出部Ａにより検出されるとともに、配線パターンＮ１と配線パターンＮ２−Ｎ４との間に付与された電位差が電位差検出部Ｖにより検出される。続いて、その検出された電流値と電位差値に基づいて配線パターンＮ１と配線パターンＮ２−Ｎ４との間の仮想的な抵抗値が算出され、その抵抗値に基づいて配線パターンＮ１と配線パターンＮ２−Ｎ４との間のスパークによるリーク電流の有無が判定される。これにより、配線パターンＮ１に対する第２種短絡検査は終了する。そして、配線パターンＮ１−Ｎ４が、接触ピンＰ及び接続切替部１２を介してグランド電位に接続され、電位差付与により配線パターンＮ１−Ｎ４に溜まった電荷が放電される。
【００６２】
続く検査ステップＳｂ２では、ピン数が２番目に少ない配線パターンＮ２が注目配線パターンに設定される。相対配線パターンには、配線パターンＮ２と既に注目配線パターンに設定された配線パターンＮ１とを除いた残りの配線パターンＮ３，Ｎ４が設定される。そして、電源部１１により配線パターンＮ２と配線パターンＮ３，Ｎ４との間に第２の付与電位差値の電位差が付与され、そのときに配線パターンＮ２と配線パターンＮ３，Ｎ４との間に流れる電流（厳密には、電源部１１の一方側出力部と配線パターンＮ２との間に流れる電流）が電流検出部Ａにより検出されるとともに、配線パターンＮ２と配線パターンＮ３，Ｎ４との間に付与された電位差が電位差検出部Ｖにより検出される。続いて、その検出された電流値と電位差値に基づいて配線パターンＮ２と配線パターンＮ３，Ｎ４との間の仮想的な抵抗値が算出され、その抵抗値に基づいて配線パターンＮ２と配線パターンＮ３，Ｎ４との間のスパークによるリーク電流の有無が判定される。これにより、配線パターンＮ２に対する第２種短絡検査は終了する。そして、配線パターンＮ２−Ｎ４が、接触ピンＰ及び接続切替部１２を介してグランド電位に接続され、電位差付与により配線パターンＮ２−Ｎ４に溜まった電荷が放電される。
【００６３】
続く検査ステップＳｂ３では、ピン数が３番目に少ない配線パターンＮ３が注目配線パターンに設定される。相対配線パターンには、配線パターンＮ３と既に注目配線パターンに設定された配線パターンＮ１，Ｎ２とを除いた残りの配線パターンＮ４が設定される。そして、電源部１１により配線パターンＮ３と配線パターンＮ４との間に第２の付与電位差値の電位差が付与され、そのときに配線パターンＮ３と配線パターンＮ４との間に流れる電流（厳密には、電源部１１の一方側出力部と配線パターンＮ３との間に流れる電流）が電流検出部Ａにより検出されるとともに、配線パターンＮ３と配線パターンＮ４との間に付与された電位差が電位差検出部Ｖにより検出される。続いて、その検出された電流値と電位差値に基づいて配線パターンＮ３と配線パターンＮ４との間の仮想的な抵抗値が算出され、その抵抗値に基づいて配線パターンＮ３と配線パターンＮ４との間のスパークによるリーク電流の有無が判定される。これにより、配線パターンＮ３に対する第２種短絡検査が終了するとともに、配線パターンＮ４に対する第２種短絡検査も終了し、すべての配線パターンＮ１−Ｎ４に対する第２種短絡検査が終了する。そして、配線パターンＮ３，Ｎ４が、接触ピンＰ及び接続切替部１２を介してグランド電位に接続され、電位差付与により配線パターンＮ３，Ｎ４に溜まった電荷が放電される。
【００６４】
以上のように、本実施形態によれば、第１種及び第２種短絡検査における複数の配線パターンＮに対する注目配線パターンの選定の順番が、検査時に配線パターンＮに接触される接触ピンＰの数に基づいて決定される。配線パターンＮに接触される接触ピンＰの数は、配線面積の大きい配線パターンＮほど多くなる傾向にあるため、注目配線パターンの選定の順番を接触ピンＰの数に基づいて決定することにより、配線パターンＮ、その配線パターンＮに接触される接触ピンＰ、及びその接触ピンＰに接続される導線等からなる全体の静電容量を考慮して、注目配線パターンの選定の順番を決定することができる。
【００６５】
また、付与電位差値が配線パターンＮ間の極小短絡部に関する検査に対応した小さな値に設定される第１種短絡検査では、複数の配線パターンＮのうちの、配線パターンＮに接触されている接触ピンＰの数が多いものから順に注目配線パターンに設定され、付与電位差値が配線パターンＮ間のスパークによる電流リークに関する検査に対応した大きな値に設定される第２種短絡検査では、複数の配線パターンＮのうちの、配線パターンＮに接触されている接触ピンＰの数が少ないものから順に注目配線パターンに設定される。
【００６６】
このため、付与電位差値の小さい第１種短絡検査では、接触される接触ピンＰが多く、接触ピンＰ等を含む全体の静電容量の大きい配線パターンＮから順に注目配線パターンに設定することにより、全体の静電容量の大きい配線パターンＮに対する電位差の付与及び付与解除の回数を抑制できる。その結果、配線パターンＰに対する電位差の付与及び付与解除の際の所要時間（充放電等に要する時間）を短縮して、検査速度の高速化が図れる。
【００６７】
その一方、付与電位差値の大きい第２種短絡検査では、接触される接触ピンＰが少なく、接触ピンＰ等を含む全体の静電容量の小さい配線パターンＮから順に注目配線パターンに設定することにより、検査結果の誤判定を抑制して、検査の信頼性が低下するのが回避される。
【００６８】
このように、検査結果の誤判定が、第２種短絡検査においてピン数の小さい配線パターンＮから順に注目配線パターンに設定することによって抑制されるのは、次のような理由によるものと考えられる。
【００６９】
まず、従来技術において第２種短絡検査にて検査結果の誤判定が生じていた原因について検討する。第２種短絡検査では、大きな電位差が配線パターンＮ間に付与されるため、電位差付与による注目配線パターン及び接触ピン等の帯電量が大きくなる。このため、注目配線パターンに蓄積された電荷を、次の検査ステップに移行する際にグランド電位に放電するのに要する放電時間が長くなる。一方、検査速度の高速化のため、各検査ステップに割り当てられる割り当て時間が短く切り詰められる傾向にある。このような事情により、第２種短絡検査では、各検査ステップで注目配線パターンと相対配線パターンとの間の絶縁検査を行う際に、１つ前の検査ステップで注目配線パターンに設定された配線パターンＮからの放電が影響し、これが検査結果の誤判定の原因になっている可能性がある。
【００７０】
また、従来の検査装置のように、第２種短絡検査の際に配線面積の最も大きい配線パターンから順に注目配線パターンに設定する構成では、各検査ステップが終了して次の検査ステップに移行する際、次の検査ステップで注目配線パターンに設定される配線パターンよりも配線面積の大きな配線パターン（これは、１つ前の検査ステップで注目配線パターンであった配線パターンである）からの放電が常に行われることとなる。このため、この１つ前の検査ステップで注目配線パターンに設定されていた配線パターンからの放電が、各検査ステップでの注目配線パターンに対する絶縁検査にさらに影響を与えやすくなっている可能性がある。
【００７１】
これに対し、本実施形態では、第２種短絡検査の各検査ステップＳｂ１−Ｓｂ３の注目配線パターンに対する絶縁検査において、ピン数の小さい配線パターンＮから順に注目配線パターンに設定される。これにより、各検査ステップＳｂ１−Ｓｂ３が終了して次の検査ステップに移行する際に、１つ前の検査ステップＳｂ１−Ｓｂ３で注目配線パターンに設定されていた配線パターンＮの接触ピンＰ等を含む全体の静電容量が、次の検査ステップＳｂ１−Ｓｂ３で注目配線パターンに設定される配線パターンＮの接触ピンＰ等を含む全体の静電容量よりも小さいこととなる。このため、検査ステップＳｂ１−Ｓｂ３間の移行の際に、１つ前の検査ステップＳｂ１−Ｓｂ３で注目配線パターンに設定されていた配線パターンＮからの放電が、次の検査ステップＳｂ１−Ｓｂ３で注目配線パターンに設定される配線パターンＮに対して行われる電位差付与時の充電に要する時間に比して比較的短時間で終了することとなる。その結果、１つ前の検査ステップＳｂ１−Ｓｂ３で注目配線パターンに設定されていた配線パターンＮからの放電が、次の検査ステップＳｂ１−Ｓｂ３での注目配線パターンに対する絶縁検査に影響を与える確率が抑制されると考えられる。
【００７２】
このように、本実施形態によれば、第１種短絡検査での検査速度を向上させつつ、検査速度の高速化により検査結果の誤判定が生じやすい第２種短絡検査での検査結果の信頼性を向上させることにより、第１種及び第２種短絡検査全体として、検査結果の信頼性を低下させることなく、検査速度の向上が図れる。
【００７３】
また、第１種及び第２種短絡検査が付与電位差値の小さいものから順に行われるため、検査時の過電流により極小短絡部が焼損するのを回避しつつ、配線パターンＮ間の絶縁性について検査できる。
【００７４】
次に、図６を参照して上述の実施形態に係る基板検査装置１の変形例について説明する。この変形例では、制御部１３が、上述の第１種短絡検査及び第２種短絡検査の各検査内において、複数の電流検出部Ａの使用頻度が分散されるように（好ましくは、使用頻度が均等になるように）、各検査ステップで電流の検出に用いる電流検出部Ａを選択するようになっている。
【００７５】
この制御部１３による電流検出部Ａの選択動作について、図６に示す具体例に基づいて説明する。図６に示す例では、４つの電流検出部Ａ１−Ａ４が設けられ、各電流検出部Ａ１−Ａ４に６４本の接触ピンＰが割り当てられている。より具体的には、電流検出部Ａ１に接触ピンＰ１−Ｐ６４が割り当てられ、電流検出部Ａ２に接触ピンＰ６５−Ｐ１２８が割り当てられ、電流検出部Ａ３に接触ピンＰ１２９−Ｐ１９２が割り当てられ、電流検出部Ａ４に接触ピンＰ１９３−Ｐ２５６が割り当てられている。
【００７６】
そして、第１種及び第２種短絡検査において、配線パターンＮａ１−Ｎａ４に対する絶縁検査が行われるようになっている。図６の「配線パターンと接触ピンとの対応」の欄の記載例では、配線パターンＮａ１は、接触される接触ピンＰの数（ピン数）が２であり、接触ピンＰ１−Ｐ６４のうちのいずれか１つの接触ピンＰと、接触ピンＰ６５−Ｐ１２８のうちのいずれか１つの接触ピンＰとが接触される。配線パターンＮａ２は、ピン数が２であり、接触ピンＰ１−Ｐ６４のうちのいずれか２つの接触ピンＰが接触される。配線パターンＮａ３は、ピン数が４であり、接触ピンＰ１−Ｐ６４のうちのいずれか１つの接触ピンＰと、接触ピンＰ６５−Ｐ１２８のうちのいずれか１つの接触ピンＰと、接触ピンＰ１２９−Ｐ１９２のうちのいずれか１つの接触ピンＰと、接触ピンＰ１９３−Ｐ２５６のうちのいずれか１つの接触ピンＰとが接触される。配線パターンＮａ４は、ピン数が２であり、接触ピンＰ１２９−Ｐ１９２のうちのいずれか１つの接触ピンＰと、接触ピンＰ１９３−Ｐ２５６のうちのいずれか１つの接触ピンＰとが接触される。
【００７７】
図６の「配線パターンと接触ピンとの対応」の欄の記載例より、配線パターンＮａ２が注目配線パターンに設定されときは、配線パターンＮａ２に流れる電流は電流検出部Ａ１でしか検出できないが、他の配線パターンＮａ１，Ｎａ３，Ｎａ４がそれぞれ注目配線パターンに設定されたときは、配線パターンＮａ１，Ｎａ３，Ｎａ４に流れる電流の検出に用いる電流検出部Ａ１−Ａ４に複数の選択肢があることが分かる。具体的には、配線パターンＮａ１が注目配線パターンに設定されたときは、２つの電流検出部Ａ１，Ａ２のうちから選択可能となっている。また、配線パターンＮａ３が注目配線パターンに設定されたときは、４つの電流検出部Ａ１−Ａ４のうちから選択可能となっている。また、配線パターンＮａ４が注目配線パターンに設定されたときは、２つの電流検出部Ａ３，Ａ４のうちから選択可能となっている。
【００７８】
しかし、従来の検査装置では、複数の電流検出部Ａ１−Ａ４の使用頻度に関する配慮が何らなされることなく、複数の電流検出部Ａ１−Ａ４が選択可能な場合であっても、例えば図６の「配線パターンと接触ピンとの対応」の欄の丸印で示すように、ピン番号の最も小さい接触ピンＰに対応する電流検出部Ａ１−Ａ４が常に使用されるようになっていた。
【００７９】
そこで、この変形例に係る構成では、例えば図６の「配線パターンと接触ピンとの対応」の欄の四角印で示すように、各検査ステップにおいて各配線パターンＮａ１−Ｎａ４が注目配線パターンに設定された際に複数の電流検出部Ａ１−Ａ４が選択可能な場合には、第１種及び第２種短絡検査内での電流検出部Ａ１−Ａ４の使用頻度が分散されるように（好ましくは、使用頻度が均等になるように）、使用する電流検出部Ａ１−Ａ４を選択している。具体的には、配線パターンＮａ１が注目配線パターンに設定されたときは電流検出部Ａ２が使用され、配線パターンＮａ２が注目配線パターンに設定されたときは電流検出部Ａ１が使用され、配線パターンＮａ３が注目配線パターンに設定されたときは電流検出部Ａ３が使用され、配線パターンＮａ４が注目配線パターンに設定されたときは電流検出部Ａ４が使用される。
【００８０】
これにより、第１種及び第２種短絡検査において、一部の電流検出部Ａ１−Ａ４に使用頻度が片寄るのを防止して、一部の電流検出部Ａ１−Ａ４の劣化が他の電流検出部Ａ１−Ａ４に比して進むのを防止できる。
【００８１】
この変形例に関する構成のさらなる変形例として、各検査ステップにおいて各配線パターンＮａ１−Ｎａ４が注目配線パターンに設定された際に複数の電流検出部Ａ１−Ａ４が選択可能な場合に、その選択可能な複数の電流検出部Ａ１−Ａ４及び複数の放電経路を同時に使用してもよい。これによって、電流検出部Ａ１−Ａ４を流れる電流値が減少し、電流検出部Ａ１−Ａ４の負担を軽減できるとともに、充放電の時間の短縮が図れる。
【００８２】
また、上述の基板検査装置１の他の変形例として、上述の基板検査装置１では、第１種及び第２種短絡検査において、注目配線パターンと相対配線パターンとの間に電位差を付与する際、注目配線パターンがプラス側になるように電位差を付与する例を示したが、相対配線パターンがプラス側になるように電位差を付与してもよいし、注目配線パターンと相対配線パターンとの間に電位差の極性を入れ替えて電位差を２回付与して検査を行ってもよい。
【符号の説明】
【００８３】
１  基板検査装置、２  被検査基板、１１  電源部、１２  接続切替部、１３  制御部、Ａ１，Ａ２，・・・  電流検出部、Ｎ１−Ｎ４，Ｎａ１−Ｎａ４、配線パターン  Ｐ，Ｐ１，Ｐ２，・・・  接触ピン、ＳＷ１，ＳＷ２，ＳＷ２ａ，ＳＷ２ｂ，ＳＷ２ｃ  スイッチング素子、Ｖ  電位差検出部。
【図１】
0005866943.tif 000002
【図２】
0005866943.tif 000003
【図３】
0005866943.tif 000004
【図４】
0005866943.tif 000005
【図５】
0005866943.tif 000006
【図６】
0005866943.tif 000007